(57)【要約】【課題】建物ユニット及び閉塞パネルを効率よく建設現場に搬送し、かつ、離し置き部を有するユニット式建物を効率よく施工できる方法を提供すること。【解決手段】それぞれ直方体状の骨組み１３を有し一部の骨組み１３に外壁パネル１５が取付けられた複数の建物ユニット３を組合わせて建てられるとともに、建物ユニット３のうち２つを離し置きし、生じる隙間に閉塞用パネル２１を配置するユニット式建物１の施工方法であって、建物ユニット３及び閉塞用パネル２１を製造し、建物ユニット３の妻側に設けられた外壁パネル１５の外側に閉塞用パネル２１を配置して仮固定し、仮固定後の建物ユニット３を搬送し、この建物ユニット３と他の建物ユニット３を建設現場で組み立て、そのうち２つの建物ユニット３を離し置きするとともに、骨組み１３から閉塞用パネル２１を取り外し、生じる隙間に閉塞用パネル２１を設置する。【選択図】図２
2010222852.tif 000002
【特許請求の範囲】
【請求項１】
それぞれ直方体状の骨組みを有し一部の骨組みに外壁パネルが取り付けられた複数の建物ユニットを組み合わせて建てられるとともに、前記建物ユニットのうち２つを離し置きし、これらの建物ユニットの隙間に閉塞用パネルを配置するユニット式建物の施工方法であって、
前記複数の建物ユニット及び前記複数の閉塞用パネルをそれぞれ製造する製造工程と、
前記複数の建物ユニットのうち外壁パネルが前記骨組みの妻側に設けられた建物ユニットの当該外壁パネルの外側に前記閉塞用パネルを配置して仮固定する仮固定工程と、
前記閉塞用パネルを仮固定した建物ユニットをトラックの荷台に載せて建設現場まで搬送する搬送工程と、
前記閉塞用パネルを仮固定した建物ユニットと他の建物ユニットを建設現場で組み合わせて、そのうち２つの建物ユニットを離し置きするとともに、前記建物ユニットの前記骨組みから前記閉塞用パネルを取り外して、離し置きした建物ユニットの隙間に前記閉塞用パネルを設置する現場施工工程と、を備えたことを特徴とするユニット式建物の施工方法。
【請求項２】
請求項１に記載のユニット式建物の施工方法において、
前記仮固定工程は前記骨組みに仮固定治具を取り付け、この仮固定治具に前記閉塞用パネルを取り付けることを特徴とするユニット式建物の施工方法。
【請求項３】
それぞれ直方体状の骨組みを有し一部の骨組みに外壁パネルが取り付けられた複数の建物ユニットを組み合わせて建てられるとともに、前記建物ユニットのうち２つを離し置きし、これらの建物ユニットの隙間に閉塞用パネルを配置するユニット式建物を施工するために前記建物ユニットをトラックの荷台に載せる際に前記閉塞用パネルを仮固定する仮固定治具であって、
前記骨組みの頂部に一端部が設けられるとともに前記外壁パネルの厚さより長い水平部材と、
この水平部材の他端部に設けられるとともに前記閉塞用パネルに結合する鉛直部材とを備えたことを特徴とする仮固定治具。
【請求項４】
請求項３に記載の仮固定治具において、
前記閉塞用パネルは当該閉塞用パネルの本体裏面にフレームが取り付けられ、このフレームに前記垂直部材が結合されることを特徴とする仮固定治具。
【発明の詳細な説明】
【技術分野】
【０００１】
本発明は、隣り合う建物ユニット同士を離して配置した離し置き部を備えたユニット式建物の施工方法及びそのユニット式建物の施工方法に用いる仮固定治具に関する。
【背景技術】
【０００２】
従来、柱、梁から略直方体状の骨組みを備えた建物ユニットを複数並べて施工され、隣り合う少なくとも２つの建物ユニットを離して配置した離し置き部（ジョイントスペース）を備えたユニット式建物がある（例えば、特許文献１参照）。
特許文献１に記載のユニット式建物は、複数の建物ユニットと、離し置きした建物ユニット同士の隙間を閉塞する複数の閉塞パネルとを有して構成される。建物ユニットには、必要に応じて外壁パネルが骨組みに取り付けられている。また、閉塞パネルは、縦枠及び横枠で形成されるフレームと、フレームに取り付けられた外壁材とを有して構成される。これらの建物ユニット及び閉塞パネルは、工場にて製造された後、トラック等で建設現場に搬送される。
【先行技術文献】
【特許文献】
【０００３】
【特許文献１】特開２００５−２４０３５８号公報
【特許文献２】特開平９−９６１６６号公報
【特許文献３】特開平７−３１７３３５号公報
【特許文献４】特開平６−７３９５３号公報
【発明の概要】
【発明が解決しようとする課題】
【０００４】
しかしながら、特許文献１に記載のユニット式建物を構成する建物ユニット及び閉塞パネルを搬送する際、トラック等の荷台の面積は、外壁パネルが骨組みに取り付けられた建物ユニットの平面積に対応しており、建物ユニットと閉塞パネルとを別々にトラックで搬送しなければならず、搬送効率が悪い。
建物ユニットには、その建設現場で並べられる位置に応じて、例えば、骨組みの桁側（長辺側）に外壁パネルが取り付けられたものや骨組みの妻側（短辺側）に外壁パネルが取り付けられたものがある。骨組みの妻側に外壁パネルを取り付けた建物ユニットをトラック等の荷台に載置した場合、荷台の長さ方向にはスペースの余裕があるため、他の建築資材を合わせて荷台に載せることが可能であるが、骨組みの桁側に外壁パネルを取り付けた建物ユニットは、その幅方向長さがトラックの荷台の幅方向長さとほぼ等しいので、桁に沿って建築資材を載せることが難しい。
【０００５】
一方、建物ユニットをトラックで搬送する技術として、例えば、特許文献２から特許文献４に開示された搬送方法が知られている。特許文献２には、開口部に縦枠と横枠とからなる開口枠を固定した建物ユニットの搬送方法が示されている。すなわち、工場にて開口枠の一部を本固定し、残りを仮固定した状態で、建設現場に搬送し、建設現場にて仮固定部分を解除して本固定する。このようにして開口枠を開口部に精度よく取り付けることができるというものである。
【０００６】
また、特許文献３には、玄関口にドア部を固定した住宅ユニットの搬送方法が示されている。すなわち、工場にて住宅ユニットの下端縁にドア部の下端縁を一致させた状態で、ドア部を玄関口に仮固定し、建設現場にてドア部を下降させて土間と一致させ、ドア部を玄関口に本固定するというものである。
さらに、特許文献４には、出窓を有する出窓枠を固定した建物ユニットの搬送方法が示されている。すなわち、工場にて建物内部側に没入させた状態の出窓を出窓枠に仮固定し、この状態で建設現場に搬送した後、建設現場にて出窓を所定位置に突出させて本固定するというものである。
これらの特許文献２から特許文献４には、建物ユニット自体に直接設置される開口枠、ドア部、出窓などに関する搬送技術が開示されている。これに対して前述の閉塞パネルは、一対の建物ユニットの隙間に設置されるパネルであり、このような閉塞パネルを搬送する際に、特許文献２から特許文献４に開示された技術をそのまま用いることは困難である。
【０００７】
本発明の目的は、隣り合う建物ユニット同士を離して配置した離し置き部を有するユニット式建物の施工方法であって、建物ユニット及び閉塞パネルを効率よく建設現場に搬送し、かつ、効率よく施工できるユニット式建物の施工方法及びそのユニット式建物の施工方法に用いる仮固定治具を提供することである。
【課題を解決するための手段】
【０００８】
本発明のユニット式建物１の施工方法は、それぞれ直方体状の骨組み１３を有し一部の骨組み１３に外壁パネル１５が取り付けられた複数の建物ユニット３，５を組み合わせて建てられるとともに、前記建物ユニット３，５のうち２つを離し置きし、これらの建物ユニット３，５の隙間に閉塞用パネル２１を配置するユニット式建物１の施工方法であって、前記複数の建物ユニット３，５及び前記複数の閉塞用パネル２１をそれぞれ製造する製造工程と、前記複数の建物ユニット３，５のうち外壁パネル１５が前記骨組み１３の妻側に設けられた建物ユニット３，５の当該外壁パネル１５の外側に前記閉塞用パネル２１を配置して仮固定する仮固定工程と、前記閉塞用パネル２１を仮固定した建物ユニット３，５をトラックの荷台に載せて建設現場まで搬送する搬送工程と、前記閉塞用パネル２１を仮固定した建物ユニット３，５と他の建物ユニット３，５を建設現場で組み合わせて、そのうち２つの建物ユニット３，５を離し置きするとともに、前記建物ユニット３，５の前記骨組み１３から前記閉塞用パネル２１を取り外して、離し置きした建物ユニット３，５の隙間に前記閉塞用パネル２１を設置する現場施工工程と、を備えたことを特徴とする。
この発明によれば、外壁パネル１５が骨組み１３の妻側に設けられた建物ユニット３，５の当該外壁パネル１５の外側に前記閉塞用パネル２１を配置して仮固定し、トラックの荷台に載せて建設現場まで搬送するので、建物ユニット３，５及び閉塞用パネル２１を効率よく建設現場に搬送することができる。すなわち、トラックの荷台の長手方向にあるスペース余裕分を有効に活用することができる。
また、建設現場に搬送された後、建物ユニット３，５の離し置き配置によって形成された隙間に、建物ユニット３，５の骨組み１３から取り外して閉塞用パネル２１を設置することができるので、効率よくユニット式建物１を施工することができる。
【０００９】
本発明では、前記仮固定工程は前記骨組みに仮固定治具３０を取り付け、この仮固定治具３０に前記閉塞用パネル２１を取り付けることが好ましい。
この発明によれば、仮固定治具３０を介して建物ユニット３，５の外壁パネル１５の外側に閉塞用パネル２１を仮固定するので、仮固定の作業を容易に実施することができる。
【００１０】
本発明の仮固定治具３１は、それぞれ直方体状の骨組み１３を有し一部の骨組み１３に外壁パネル１５が取り付けられた複数の建物ユニット３，５を組み合わせて建てられるとともに、前記建物ユニット３，５のうち２つを離し置きし、これらの建物ユニット３，５の隙間に閉塞用パネル２１を配置するユニット式建物１を施工するために前記建物ユニット３，５をトラックの荷台に載せる際に前記閉塞用パネル２１を仮固定する仮固定治具３１であって、前記骨組み１３の頂部に一端部が設けられるとともに前記外壁パネル１５の厚さより長い水平部材３１１と、この水平部材３１１の他端部に設けられるとともに前記閉塞用パネル２１に結合する鉛直部材３１２とを備えたことを特徴とする。
この発明によれば、建物ユニット３，５の外壁パネル１５の外側に前記閉塞用パネル２１を仮固定する作業を容易に実施することができる。
【００１１】
本発明では、前記閉塞用パネル２１は当該閉塞用パネル２１の本体裏面にフレーム２２が取り付けられ、このフレーム２２に前記垂直部材３１２が結合されることを特徴とする。
この発明によれば、構造体であるフレーム２２に仮固定治具３１の垂直部材３１２が結合されるので、建設現場まで運搬している間も閉塞用パネル２１が建物ユニット３，５から外れることを防ぐことが出来る。
【図面の簡単な説明】
【００１２】
【図１】本発明の一実施形態に係るユニット式建物を示す全体斜視図。
【図２】図１において、ユニット式建物の離し置き部を説明するための斜視図。
【図３】本発明の閉塞用パネルが仮固定された建物ユニットを示す斜視図。
【図４】前記建物ユニットの一部を拡大した側面図。
【図５】前記建物ユニットの別の一部を拡大した縦断面図。
【図６】前記閉塞用パネルの第１の仮固定構造を示す分解斜視図。
【図７】前記閉塞用パネルの第２の仮固定構造を示す分解斜視図。
【図８】前記閉塞用パネルの第３の仮固定構造を示す分解斜視図。
【図９】前記閉塞用パネルの第４の仮固定構造を示す分解斜視図。
【発明を実施するための形態】
【００１３】
以下、本発明の実施形態を図面に基づいて説明する。
＜ユニット式建物の全体構成＞
図１は、本実施形態のユニット式建物１を示す全体斜視図である。
ユニット式建物１は、図１に示すように、基礎２の上に設けられた６個の下階建物ユニット３からなる下階部４と、下階部４の下階建物ユニット３の上に載置された同じく６個の上階建物ユニット５からなる上階部６と、上階部６の上方に設けられる屋根部７とを備えて構成されている。
下階建物ユニット３及び上階建物ユニット５は、それぞれ建物ユニット３，５の短辺方向に３個並べられ、短辺方向に直交する方向である建物ユニット３，５の長辺方向に２個並べられ、かつ、各建物ユニット３，５の短辺側の側面同士、及び、長辺側の側面同士が対向するように配置されている。
短辺方向に並んだ３つの各建物ユニット３，５のうちの２つは、短辺方向に所定の間隔寸法Ｌだけ離れて離し置きされ、本発明の建物ユニットの隙間に相当する離し置き部（スリットジョイント）Ａが構築されている。この離し置き部Ａには、閉塞用パネル２１を利用して壁構造２０が構築されている。
なお、以下の説明は下階建物ユニット３からなる下階部４を例に挙げて説明するが、上階建物ユニット５からなる上階部６についても適用することができる。
【００１４】
図２は、下階部４の下階建物ユニット３の配置を各下階建物ユニット３の骨組み１３によって示し、離し置き部Ａを説明するための斜視図である。
離し置き部Ａには、閉塞用パネル２１である２種類のＡＬＣパネル２１Ａ，２１Ｂが設置されている。
【００１５】
下階建物ユニット３は、図２に示すように、四隅に立設される４本の柱１０と、これらの柱１０の上端間同士を結合する４本の天井梁１１と、各柱１０の下端間同士を結合する４本の床梁１２とを含む略直方体状に形成された骨組み１３を有している。
そして、天井梁１１は各２本の長辺天井梁１１１及び短辺天井梁１１２で構成され、床梁１２は各２本の長辺床梁１２１及び短辺床梁１２２で構成されている（図３参照）。２本の長辺天井梁１１１間、及び２本の長辺床梁１２１間には、図示しないが、複数本の天井小梁、複数本の根太がそれぞれ架け渡されている。また、柱１０と天井梁１１及び床梁１２とは、仕口１４を介して接続されている。
【００１６】
下階建物ユニット３のうちの２個は、建設現場で組み合わされた際に、桁側（長辺側）の面のいずれもが外壁面にはならないように配置される内周ユニット３Ａである。なお、妻側（短辺側）の面のうち、一方は外壁面となる。
すなわち、内周ユニット３Ａは、ユニット式建物１の内周に設置されるユニットである。ここで、内周に設置されるとは、短辺方向において他の２個の下階建物ユニット３（本実施形態では、後述する外周ユニット３Ｂ）に挟まれて配置されることをいう。
内周ユニット３Ａには、予め製造工場にて、外壁面となる妻側の一方に妻側用の外壁パネル１５Ａが固定された状態で建設現場に搬送される。
【００１７】
また、その他の４個の下階建物ユニット３は、建設現場で組み合わされた際に、桁側の面のいずれか一方が外壁面となるように配置される外周ユニット３Ｂである。なお、妻側の面のいずれか一方も外壁面となる。そのため、外周ユニット３Ｂには、予め製造工場にて、外壁面となる桁側の面に外壁パネル１５Ｂが固定され、妻側の面に外壁パネル１５Ａが固定された状態で建設現場に搬送される。
【００１８】
なお、図２においては、ＡＬＣパネル２１Ａが仮固定される内周ユニット３Ａの妻側と、ＡＬＣパネル２１Ｂが仮固定される外周ユニット３Ｂの妻側とに外壁パネル１５Ａが固定された状態、およびＡＬＣパネル２１Ｂが仮固定される外周ユニット３Ｂの桁側にのみ外壁パネル１５Ｂが固定された状態が、二点鎖線で示されている。その他の下階建物ユニット３に固定される外壁パネル１５Ａ，１５Ｂについては省略してある。
【００１９】
２個の内周ユニット３Ａと４個の外周ユニット３Ｂのうちの隣り合う２個とが所定の間隔寸法Ｌだけ離れて配置されている。間隔寸法Ｌは任意の寸法であり、製作基準寸法であるモジュールが、例えば、１モジュール＝９１０ｍｍである場合、本実施形態では、１／２モジュール（４５０ｍｍ）から１モジュール（９１０ｍｍ）程度に設定されている。
離し置き部Ａには、間隔寸法Ｌに応じた長さの図示しない連結梁が配置される。離し置きされた内周ユニット３Ａ及び外周ユニット３Ｂは、この連結梁によって連結されている。
【００２０】
＜離し置き部の壁構造＞
離し置き部Ａには、図２に示すように、閉塞用パネル２１である２種類のＡＬＣパネル２１Ａ，２１Ｂを利用して壁構造２０が構築されている。これらのＡＬＣパネル２１Ａ，２１Ｂは、離し置き部Ａの隙間を閉塞して、内部に居室空間等を形成するために設けられるパネルである。
例えば、第１のＡＬＣパネル２１Ａは、一面の矩形板状の軽量気泡コンクリート製の板材（以下、ＡＬＣ板と示す。）を外壁材として備え、窓などの開口部を有するパネルである。ＡＬＣパネル２１Ａの裏面側には、断面コ字状の溝型部材を矩形枠状に組み合わせて溶接等で結合させたフレーム部２２がＡＬＣパネル２１Ａの開口部を避けるように固定されている（図４〜図９参照）。
【００２１】
フレーム部２２は、具体的には、上辺部２２Ａと、右側辺部２２Ｂと、左側辺部２２Ｃと、底辺部２２Ｄとで構成される（図４〜図９参照）。
上辺部２２Ａ及び底辺部２２Ｄの溝はＡＬＣパネル２１Ａとは反対側を向いて開口し、右側辺部２２Ｂと左側辺部２２Ｃの溝は互いに向き合うように開口するように組み合わされている。
上辺部２２Ａ及び底辺部２２Ｄには図示しないボルト孔が形成されている。また、ＡＬＣパネル２１Ａの裏面側であって当該ボルト孔に連通する位置に予め図示しない埋込ナットが埋設されている。ボルト２３が、上辺部２２Ａ及び底辺部２２Ｄのボルト孔にそれぞれ挿通されるとともに、埋込ナットと螺合されることでフレーム部２２はＡＬＣパネル２１に固定される（図４〜図５参照）。
【００２２】
第２のＡＬＣパネル２１Ｂは、開口部を有さない一面の矩形板状のＡＬＣ板を外壁材として備え、裏面側にはＡＬＣパネル２１Ａに固定されたフレーム部２２と略同一の図示しないフレーム部が結合されている。このフレーム部は、ＡＬＣパネル２１Ａと同様にしてＡＬＣパネル２１Ｂに固定される。
【００２３】
＜第１のＡＬＣパネルの仮固定構造＞
以降、内周ユニット３ＡにＡＬＣパネル２１を仮固定する構造について、第１のＡＬＣパネル２１Ａを例に挙げて説明する。
図３は、第１のＡＬＣパネル２１Ａが４つの仮固定治具３０（第１の仮固定治具３１，第２の仮固定治具３２，第３の仮固定治具３３，第４の仮固定治具３４）によって内周ユニット３Ａに仮固定された状態を示す斜視図である。
図４は、内周ユニット３Ａの一部を拡大した側面図であり、ＡＬＣパネル２１Ａの第１の仮固定治具３１及び第２の仮固定治具３２による仮固定構造を示す。
図５は、内周ユニット３Ａの別の一部を拡大した断面図であり、ＡＬＣパネル２１Ａの第３の仮固定治具３３及び第４の仮固定治具３４による仮固定構造を示す。
図６〜図９は、４つの仮固定治具３１，３２，３３，３４による仮固定構造を、それぞれの仮固定治具ごとに示す分解斜視図である。
【００２４】
図３に示すように、内周ユニット３Ａの妻側には、外壁パネル１５Ａが固定され、さらに、外壁パネル１５Ａの外側には、第１のＡＬＣパネル２１Ａが仮固定されている。
ここで、天井側の仕口１４には仮固定治具３１が接合され、床梁側の仕口１４には仮固定治具３２が接合され、短辺天井梁１１２には仮固定治具３３が接合され、短辺床梁１２２には仮固定治具３４が接合されている。
そして、第１のＡＬＣパネル２１Ａは、仮固定用の仮固定治具３０（３１，３２，３３，３４）を介して骨組み１３に仮固定される。
なお、図８及び図９に示すように、短辺天井梁１１２及び短辺床梁１２２は、本実施形態では、それぞれ鉛直方向に沿ったウェブ１１３，１２３と、水平方向に沿った上フランジ１１４，１２４、下フランジ１１５，１２５とを有する断面コ字状の溝型鋼を構成部材としている。
【００２５】
＜第１の仮固定治具＞
図４及び図６に示すように、天井側の仕口１４に接合される第１の仮固定治具３１は、水平部材３１１と鉛直部材３１２とを備えている。
水平部材３１１は、直方体の上面が開口する箱状の部材で構成される長辺部材３１１Ａと断面コ字状の溝型部材で構成される短辺部材３１１Ｂとが平面Ｌ字状に結合されて形成されている。長辺部材３１１Ａの長辺は外壁パネル１５の厚さよりも長く形成され、長辺部材３１１Ａの長辺方向の一端部は天井梁１１が接続されている仕口１４の上面に連結部材３１３を介して接合されている。また、長辺部材３１１Ａの長辺方向の他端部は短辺部材３１１Ｂの一端部に溶接等によって結合されている。
【００２６】
仮固定治具３１と仕口１４とは次のようにして接合される。
まず、長辺部材３１１Ａの一端部と、連結部材３１３と、仕口１４には、互いに連通する図示しないボルト孔が設けられている。ボルト３１４が、長辺部材３１１Ａ側からこれらのボルト孔に挿通されるとともに、仕口１４側のナット３１５と螺合されることで、仮固定治具３１は仕口１４に接合される。
【００２７】
鉛直部材３１２は、短辺部材３１１Ｂの他端部の下面に溶接等によって結合される部材であって、鉛直方向に延びる角筒状の部材で構成されている。さらに、鉛直部材３１２の下端部には図示しないボルト孔が上下に並んで２つ形成され、これらのボルト孔に対応させて図示しない裏ナットが鉛直部材３１２の溝の内側に予め固定されている。
また、鉛直部材３１２の下端部にはＬ字プレート状の固定部材３１６が結合されている。固定部材３１６は鉛直部３１６Ａと水平部３１６Ｂとを備えて構成され、鉛直部３１６Ａには、前記した鉛直部材３１２の下端部に形成されている図示しない２つのボルト孔に対応するように、図示しないボルト孔が上下に並んで２つ形成されている。
鉛直部３１６Ａ及び鉛直部材３１２に形成されたこれらのボルト孔に対して、ボルト３１７が、鉛直部３１６Ａ側から挿通されるとともに、鉛直部材３１２の裏ナットと螺合されることで、固定部材３１６は鉛直部材３１２に結合される。このとき、水平部３１６Ｂは外壁パネル１５Ａとは反対側水平方向に突出した状態となっている。
【００２８】
そして、フレーム部２２は、次のようにして仮固定治具３１に対して仮固定される。
固定部材３１６の水平部３１６Ｂには、ボルト孔３１８が１つ形成されている。このボルト孔３１８に連通するボルト孔２４ＡがＡＬＣパネル２１Ａのフレーム部２２の左側辺部２２Ｃの上端側に形成されるとともに、左側辺部２２Ｃの内側にはボルト孔２４Ａに対応させて裏ナット２５Ａが予め固定されている。
水平部３１６Ｂに対してフレーム部２２の左側辺部２２Ｃが当接され、ボルト３１７が、水平部３１６Ｂ側からボルト孔３１８及びボルト孔２４Ａに挿通されるとともに、裏ナット２５Ａと螺合されることで、フレーム部２２が仮固定治具３１に仮固定される。
【００２９】
＜第２の仮固定治具＞
図４及び図７に示すように、床梁側の仕口１４に接合される第２の仮固定治具３２は、本体部材３２１と側方部材３２２と鉛直部材３２３とを備えている。
本体部材３２１は、断面コ字状の溝型部材で構成されている。本体部材３２１の他端部の側面に側方部材３２２が結合されている。また、本体部材３２１の一端部であって、断面コ字状の開口側に鉛直部材３２３が溶接等によって結合されている。
側方部材３２２は、直方体の一方の側面が開口する箱状の部材で構成されている。また、側方部材３２２の長辺は外壁パネル１５の厚さよりも長く形成されている。
側方部材３２２の一端部であって他方の側面（開口していない側面）は溶接等によって本体部材３２１に接合されている。
一方、側方部材３２２の他端部は床梁１２が接続されている仕口１４の側面に接合されている。
【００３０】
仮固定治具３２と仕口１４とは次のようにして接合される。
まず、側方部材３２２の他端部と仕口１４とには、互いに連通する図示しないボルト孔が設けられている。ボルト３２４が、側方部材３２２側からこれらのボルト孔に挿通されるとともに、仕口１４側の図示しないナットと螺合されることで、固定部材３２５は鉛直部材３２３に接合される。
【００３１】
鉛直部材３２３は、本体部材３２１の一端部に結合される部材であって、鉛直方向に延びる角筒状の部材で構成されている。鉛直部材３２３の上端部には図示しないボルト孔が上下に並んで２つ形成されている。さらに、これらのボルト孔に対応させて図示しない裏ナットが鉛直部材３２３の内側に予め固定されている。
また、鉛直部材３２３の上端部にはＬ字プレート状の固定部材３２５が結合されている。固定部材３２５は鉛直部３２５Ａと水平部３２５Ｂとを備えて構成され、鉛直部３２５Ａには、前記した鉛直部材３２３の上端部に形成されている図示しない２つのボルト孔に対応するように、図示しないボルト孔が上下に並んで２つ形成されている。
鉛直部３２５Ａ及び鉛直部材３２３に形成されたこれらのボルト孔に対して、ボルト３２６が、鉛直部３２５Ａ側から挿通されるとともに、鉛直部材３２３の裏ナットと螺合されることで、固定部材３２５は鉛直部材３２３に結合される。このとき、水平部３２５Ｂは外壁パネル１５Ａとは反対側水平方向に突出した状態となっている。
【００３２】
そして、フレーム部２２は、次のようにして仮固定治具３２に対して仮固定される。
固定部材３２５の水平部３２５Ｂには、ボルト孔３２７が１つ形成されている。このボルト孔３２７に連通するボルト孔２４ＢがＡＬＣパネル２１Ａのフレーム部２２の左側辺部２２Ｃの下端側に形成されるとともに、フレーム部２２の内側にはボルト孔２４Ｂに対応させて裏ナット２５Ｂが予め固定されている。
水平部３２５Ｂに対してフレーム部２２の左側辺部２２Ｃが当接され、ボルト３２６が、水平部３２５Ｂ側からボルト孔３２７及びボルト孔２４Ｂに挿通されるとともに、裏ナット２５Ｂと螺合されることで、フレーム部２２が仮固定治具３２に仮固定される。
【００３３】
＜第３の仮固定治具＞
図５及び図８に示すように、短辺天井梁１１２に接合される第３の仮固定治具３３は、水平部材３３１と連結部材３３２と鉛直部材３３３とを備えている。
水平部材３３１は、上面が開口する箱型部材で構成されている。水平部材３３１の長辺方向の一端部は、２つの連結部材３３２を介して短辺天井梁１１２に接合されている。また、水平部材３３１の他端部には鉛直部材３３３が溶接等によって結合されている。なお、水平部材３３１の長辺は外壁パネル１５Ａの厚さよりも長く形成されている。
連結部材３３２は、上片部３３２Ａと下片部３３２Ｂとこれらを連結する連結片部３３２Ｃとを備える断面クランク状の部材で構成されている。
【００３４】
仮固定治具３３と短辺天井梁１１２とは次のようにして接合される。
まず、水平部材３３１の一端部及び上片部３３２Ａには図示しないボルト孔がそれぞれ２つずつ形成されるとともに、水平部材３３１と上片部３３２Ａのボルト孔が対応して連通するように形成されている。
連結部材３３２の下片部３３２Ｂを、短辺天井梁１１２の上フランジ１１４の下方に、スペーサー３３４Ａを挟み込むようにして当接させる。
次に、当該当接させたスペーサー３３４Ａの位置に対応させて、上フランジ１１４の上面にスペーサー３３４Ｂが配置される。なお、スペーサー３３４Ａ，３３４Ｂは、ゴム等の弾性部材である。
そして、水平部材３３１のボルト孔及び連結部材３３２のボルト孔に対して、水平部材３３１側からボルト３３５Ａが挿通されるとともに、連結部材３３２の上片部３３２Ａの下面側でナット３３５Ｂと螺合されることで、水平部材３３１と短辺天井梁１１２とが接合される。
【００３５】
鉛直部材３３３は、水平部材３３１の他端部に結合される部材であって、鉛直方向に延びる角筒状の部材で構成されている。鉛直部材３３３の下端部側面には図示しないボルト孔が上下に並んで２つ形成されている。さらに、これらのボルト孔に対応させて図示しない裏ナットが鉛直部材３３３の内側に予め固定されている。
また、鉛直部材３３３の下端部にはＬ字プレート状の固定部材３３６が結合されている。固定部材３３６は鉛直部３３６Ａと水平部３３６Ｂとを備えて構成され、鉛直部３３６Ａには、前記した鉛直部材３３３の下端部に形成されている図示しない２つのボルト孔に対応するように、図示しないボルト孔が上下に並んで２つ形成されている。
鉛直部３３６Ａ及び鉛直部材３３３に形成されたこれらのボルト孔に対して、ボルト３３７が、鉛直部３３６Ａ側から挿通されるとともに、鉛直部材３３３の裏ナットと螺合されることで、固定部材３３６は鉛直部材３３３に結合される。このとき、水平部３３６Ｂは外壁パネル１５Ａとは反対側水平方向に突出した状態となっている。
【００３６】
そして、フレーム部２２は、次のようにして仮固定治具３３に対して仮固定される。
固定部材３３６の水平部３３６Ｂには、ボルト孔３３８が１つ形成されている。このボルト孔３３８に連通するボルト孔２４Ｃが、ＡＬＣパネル２１Ａのフレーム部２２の右側辺部２２Ｂの上端側に形成されるとともに、ボルト孔２４Ｃに対応した裏ナット２５Ｃが右側辺部２２Ｂの内側に予め固定されている。
水平部３３６Ｂに対してフレーム部２２の右側辺部２２Ｂが当接され、ボルト３３７が、水平部３３６Ｂ側からボルト孔３３８及びボルト孔２４Ｃに挿通されるとともに、裏ナット２５Ｃと螺合されることで、フレーム部２２が仮固定治具３３に固定される。
【００３７】
＜第４の仮固定治具＞
図５及び図９に示すように、短辺床梁１２２に接合される第４の仮固定治具３４は、水平部材３４１と鉛直部材３４２とを備えており、Ｌ字状に形成されている。
水平部材３４１は矩形状の板材で構成されており、その長辺は外壁パネル１５Ａの厚さよりも長く形成されている。水平部材３４１の長辺方向の一端部には図示しないボルト孔が形成されている。他端部には鉛直方向に延びる鉛直部材３４２が、断面Ｌ字状の部材からなる連結部３４６を介し、溶接等で結合されている。
【００３８】
水平部材３４１と短辺床梁１２２とは次のようにして接合される。
水平部材３４１の一端部が、短辺床梁１２２の下フランジ１２５に予め形成されていた図示しないボルト孔に連通するように、下フランジ１２５の下面側に配置される。そして、ボルト３４３Ａが、下フランジ１２５及び水平部材３４１のボルト孔に対して、下フランジ１２５側から挿通されるとともに、水平部材３４１の下面側でナット３４３Ｂと螺合されることで、水平部材３４１と短辺床梁１２２とが接合される。
【００３９】
そして、フレーム部２２は、次のようにして仮固定治具３４に対して仮固定される。
鉛直部材３４２は、板材を折り曲げて平面Ｌ字状に形成された部材であって、外壁パネル１５Ａの外壁面に平行な平行面部３４２Ａと、外壁面に垂直な垂直面部３４２Ｂとを備えている。鉛直部材３４２の下端部は、前記したように水平部材３４１の長辺方向の他端部と結合されている。一方、垂直面部３４２Ｂの上端部には、ボルト孔３４４が１つ形成されている。このボルト孔３４４に連通するボルト孔２４ＤがＡＬＣパネル２１Ａのフレーム部２２の右側辺部２２Ｂの上端側に形成されるとともに、ボルト孔２４Ｄに対応した裏ナット２５Ｄが右側辺部２２Ｂの内側に予め固定されている。
鉛直部材３４２の垂直面部３４２Ｂに対してフレーム部２２の右側辺部２２Ｂが当接され、ボルト３４５が、ボルト孔３４４及びボルト孔２４Ｄに対して、垂直面部３４２Ｂ側から挿通されるとともに、裏ナット２５Ｄと螺合されることで、フレーム部２２が仮固定治具３４に固定される。
【００４０】
＜ユニット式建物の施工方法＞
次に、以上のようなユニット式建物１の施工方法を説明する。
まず、製造工場にて、下階建物ユニット３、上階建物ユニット５、外壁パネル１５、及び、ＡＬＣパネル２１をそれぞれ製造する。
以下、下階建物ユニット３を例に挙げて具体的に説明するが、上階建物ユニット５についても同様に製造し得るものである。
建物ユニット３のうち、外周ユニット３Ｂの桁側（長辺側）の一方の面及び外周ユニット３Ｂの妻側（短辺側）の一方の面に外壁パネル１５を固定する。また、内周ユニット３Ａの妻側の一方の面に外壁パネル１５を固定する。この際、外壁パネルを骨組み１３にボルト接合する(製造工程)。
【００４１】
次に、図２に示すように、内周ユニット３ＡにＡＬＣパネル２１Ａを仮固定するとともに、外周ユニット３Ｂの内の一つにＡＬＣパネル２１Ｂを仮固定する。この際、図４及び図５に示すように、内周ユニット３Ａ及び外周ユニット３Ｂの妻側に固定された外壁パネル１５Ａの外側にＡＬＣパネル２１Ａ，２１Ｂを配置して、仮固定治具３１，３２，３３，３４を用いてボルト接合する（仮固定工程）。
【００４２】
続いて、各建物ユニット３，５をそれぞれ別のトラックの荷台に載せて建設現場まで搬送する（搬送工程）。この搬送工程にて、ＡＬＣパネル２１Ａ，２１Ｂは内周ユニット３Ａ又は外周ユニット３Ｂと一体で建設現場に搬送される。
建設現場にて、まず、下階建物ユニット３を基礎２上に載置固定し、下階部４を構築する。この際、図２に示すように、２つの外周ユニット３Ｂを内周ユニット３Ａに対して離し置きして、離し置き部Ａを形成する。そして、図２に示すように、ＡＬＣパネル２１Ａ，２１Ｂを内周ユニット３Ａ及び外周ユニット３Ｂの骨組み１３から取り外して、離し置き部Ａの隙間にＡＬＣパネル２１Ａ，２１Ｂを設置する（現場施工工程）。
この現場施工固定にて、ＡＬＣパネル２１Ａ，Ｂが仮固定された外周ユニット３Ｂ及び内周ユニット３Ａは離し置き部Ａの近くに配置されるので、ＡＬＣパネル２１Ａ，２１Ｂの仮固定を解除して、すぐ隣の離し置き部Ａへと横方向移動させ、本固定することができる。
【００４３】
さらに、下階部４の上方に上階建物ユニット５を載置固定し、上階部６を構築するとともに、下階部４と同様に、形成された離し置き部の隙間にＡＬＣパネル２１Ａ，２１Ｂを設置する。その後、上階部６の上方に小屋枠を介して屋根パネル等を設けて屋根部７を構成し、ユニット式建物１を完成させる。
このようにして、離し置き部Ａに設置される閉塞用パネルを備えたユニット式建物１の施工が完了する。
【００４４】
前述の搬送工程において、建物ユニット３，５の搬送用トラックの荷台の幅寸法は、建物ユニット３，５の一方の妻側の幅寸法と、一方の桁側の面に取り付けられる外壁パネルの厚さ寸法とを合わせた寸法が最大となっている。すなわち、外壁パネルを固定した外周ユニット３Ｂを載置する際に必要な幅寸法となっている。
このため、内周ユニット３Ａの場合、桁側には、外壁パネルやＡＬＣパネル２１が固定されないので、荷台の幅寸法に対して内周ユニット３Ａの妻側の幅寸法は小さくなり、搬送時の平面スペース上の余裕がある。
また、外周ユニット３Ｂの場合、一方の桁側の面に外壁パネルが取り付けられているため、搬送用トラックの荷台の幅方向にスペース上の余裕がないものの、荷台の長さ方向にスペース上の余裕があるので、妻側にＡＬＣパネル２１が仮固定された外周ユニット３Ｂも荷台に載置し得る。
【００４５】
＜実施形態の効果＞
以上のような実施形態によれば、次のような効果を得ることができる。
（１）外壁パネル１５が骨組み１３の妻側に設けられた各建物ユニット３，５の当該外壁パネル１５の外側にＡＬＣパネル２１を配置して仮固定し、トラックの荷台に載せて建設現場まで搬送するので、建物ユニット３，５及びＡＬＣパネル２１を効率よく建設現場に搬送することができる。すなわち、トラックの荷台の長手方向にあるスペース余裕分を有効に活用することができる。
【００４６】
（２）現場施工固定にて、ＡＬＣパネル２１が仮固定された外周ユニット３Ｂ及び内周ユニット３Ａは離し置き部Ａの近くに配置するので、ＡＬＣパネル２１の仮固定を解除して、すぐ隣の離し置き部Ａへと横方向移動させ、本固定することができる。
したがって、簡便かつ効率よくＡＬＣパネル２１を本設位置（離し置き部Ａ）に移動させ、本固定することができる。
【００４７】
（３）仮固定治具３０を介して建物ユニット３，５の外壁パネル１５の外側にＡＬＣパネル２１を仮固定するので、仮固定の作業を容易に実施することができる。
特に、仮固定治具３０と骨組み１３との仮固定、及び仮固定治具３０とＡＬＣパネル２１との仮固定のいずれもボルト接合によって行うことができるため、仮固定の作業と、建設現場での仮固定を解除する作業とを容易に実施することができる。
【００４８】
（４）４つの仮固定治具３１，３２，３３，３４によってＡＬＣパネル２１のフレーム部２２を４箇所でバランス良く仮固定するので、トラックの荷台へ建物ユニット３，５を積み込んでから、建設現場で建物ユニット３，５の設置を終え、ＡＬＣパネル２１の仮固定を解除するまでの間に、ＡＬＣパネル２１が建物ユニット３，５から外れることを防ぐことが出来る。
【００４９】
なお、本発明は前記実施形態に限定されるものではなく、本発明の目的を達成できる範囲での変形、改良等は本発明に含まれるものである。
例えば、図１では、各階に６個の各建物ユニット３，５を配置した場合を示したが、本発明のユニット式建物１としては、６個に限らず複数の建物ユニット３，５を組み合わせて建てられ、各建物ユニット３，５のうちの少なくとも２つを離し置きして形成されたものであればよい。例えば、図１のユニット式建物１において、長辺方向に並べられた３つの各建物ユニット３，５について各建物ユニット３，５間に離し置き部Ａをそれぞれ形成したものでもよい。
【００５０】
また、内周ユニット３Ａを配置せず、外周ユニット３Ｂだけで構成されるユニット式建物の場合であっても、本発明を適用することができる。
外周ユニット３Ｂだけで構成されるユニット式建物としては、例えば、長辺方向及び短辺方向に２個ずつ建物ユニット３，５を配置して各階を４個の建物ユニット３，５で構成するとともに、各建物ユニット３，５のうちの少なくとも２つを離し置きしたユニット式建物が挙げられる。
この場合、製造工場で建物ユニット３，５のいずれか一方の桁側には外壁パネル１５Ｂが固定されるため、内周ユニット３Ａのように桁側に閉塞用パネル２１を仮固定するスペース上の余裕が無く、トラックで搬送するためには妻側に閉塞用パネル２１を仮固定しなければならないという制限が課せられる。
しかしながら、当該制限の下であっても、本発明によれば外周ユニット３Ｂの妻側に閉塞用パネル２１を仮固定することができるため、建物ユニット及び閉塞パネルを効率よく建設現場に搬送し、かつ、ユニット式建物を効率よく施工することができる。
【００５１】
また、前記実施形態では、建物ユニット３，５の妻側に固定された外壁パネル１５Ａの外側にＡＬＣパネル２１を仮固定したが、建物ユニット３，５の外壁パネル１５Ａが固定されていない妻側にＡＬＣパネル２１を仮固定してもよい。
【００５２】
本発明の閉塞用パネルとしては、前記実施形態で説明した外壁材としてのＡＬＣパネル２１に限られず、例えば、床パネルや天井パネルのように離し置き部Ａに設置される各種パネルにも適用できる。
【産業上の利用可能性】
【００５３】
本発明は、戸建て住宅や集合住宅等であって離し置き部を有するユニット式建物に利用することができる。
【符号の説明】
【００５４】
１     ユニット式建物
３     下階建物ユニット
５     上階建物ユニット
１３   骨組み
１５，１５Ａ，１５Ｂ 外壁パネル
２０   壁構造
２１，２１Ａ，２１Ｂ 閉塞用パネル（ＡＬＣパネル）
２２   フレーム部
３０，３１    仮固定治具
３１１ 水平部材
３１２ 鉛直部材
【図１】
2010222852.tif 000003
【図２】
2010222852.tif 000004
【図３】
2010222852.tif 000005
【図４】
2010222852.tif 000006
【図５】
2010222852.tif 000007
【図６】
2010222852.tif 000008
【図７】
2010222852.tif 000009
【図８】
2010222852.tif 000010
【図９】
2010222852.tif 000011